(57)【要約】【課題】乾燥剤に吸着させた水分の放出を抑制する。【解決手段】加熱機器１０は、発熱部品（蓋ヒータ７２やソレノイド３０Ａ，３０Ｂ）より上方に形成され、内部に電子部品が収容される電子部品収容部４２を備える。電子部品収容部４２は、密閉または実質的に密閉され、内部に乾燥剤配置部６０が形成されている。乾燥剤配置部６０内には水分を吸着する乾燥剤５９が配設され、乾燥剤配置部６０の底壁６１と乾燥剤５９との間に断熱部６４が形成される。【選択図】図１
2015213655.tif 000002
【特許請求の範囲】
【請求項１】
発熱部品を配設した外装体と、
前記外装体に、前記発熱部品より上方に形成され、内部に電子部品が収容されるとともに、密閉または実質的に密閉された電子部品収容部と、
前記電子部品収容部に形成された乾燥剤配置部と、
前記乾燥剤配置部に配置され、前記電子部品収容部内の水分を吸着する乾燥剤と、
前記乾燥剤配置部の底と前記乾燥剤との間に形成された断熱部と
を備えることを特徴とする加熱機器。
【請求項２】
前記乾燥剤配置部の底から所定間隔をあけて前記乾燥剤を配置する保持部を設け、前記断熱部として断熱空間を形成したことを特徴とする請求項１に記載の加熱機器。
【請求項３】
前記保持部は、前記乾燥剤配置部の壁から突出するように設けられることを特徴とする請求項２に記載の加熱機器。
【請求項４】
前記保持部は、前記乾燥剤から突出するように設けられることを特徴とする請求項２に記載の加熱機器。
【請求項５】
前記保持部は、前記乾燥剤を配置する枠部と、枠部から突出する脚部とを備える別部品であることを特徴とする請求項２に記載の加熱機器。
【請求項６】
前記断熱部として断熱部材を配設したことを特徴とする請求項１乃至請求項５のいずれか１項に記載の加熱機器。
【請求項７】
内鍋と、前記内鍋を加熱する前記発熱部品である加熱手段とを有する機器本体と、
前記機器本体に開閉可能に配設された蓋体とを備え、
前記外装体である前記蓋体に前記電子部品収容部を形成したことを特徴とする請求項１乃至請求項６のいずれか１項に記載の加熱機器。
【発明の詳細な説明】
【技術分野】
【０００１】
本発明は、液晶パネル等の電子部品を備える加熱機器に関する。
【背景技術】
【０００２】
炊飯器等の加熱機器は、機器本体または蓋体に操作パネル部が形成されている。操作パネル部は、入力手段である複数のスイッチと、操作状態や機器の動作状態を表示する液晶パネルとを備える。スイッチおよび液晶パネル等の電子部品は表示基板に実装され、この表示基板が機器本体または蓋体の外装体内に形成した電子部品収容部に配設されている。
【０００３】
電子部品収容部内には、組立時に工場内の水分（湿気）を含む空気が入ることを否めない。また、電気部品を実装する表示基板からも若干の水分が滲出することがある。電子部品収容部内の水分は、昇温により気化すると、液晶パネルの表示面を曇らせることがある。そのため、電子部品収容部内には、水分を吸着するための乾燥剤が配設されている。しかしながら、外装体内には、通電により昇温する発熱部品が搭載されている。この発熱部品により乾燥剤が加熱されると、吸着していた水分を放出し、結局液晶パネルを曇らせてしまう。
【０００４】
特許文献１には、蓋体に電子部品収容部を配設するとともに、電子部品収容部に熱が伝導されるように蓋ヒータを配設した炊飯器が記載されている。また、電子部品収容部には、内部と外部とを連通する連通路部材が配設されている。この炊飯器は、蓋ヒータの熱で乾燥剤を加熱し、吸着している水分を電子部品収容部内に放出する。そして、連通路部材を通して電子部品収容部の外部に水分を放出することにより、乾燥剤の吸着性能を再生する。
【０００５】
しかしながら、特許文献１の炊飯器は、加熱により乾燥剤から放出させた水分によって、液晶パネルを曇らせる可能性がある。また、加熱後に電子部品収容部内が自然冷却されると外部の空気が流入する。その空気は炊飯器周辺の空気であり、炊飯により多くの水分（蒸気）を含んでいるため、電子部品収容部内の総水分量が増える可能性がある。なお、電子部品収容部中の水分の影響は液晶パネルに限らず、表示基板に実装した全ての電子部品（素子）に及ぶ。
【先行技術文献】
【特許文献】
【０００６】
【特許文献１】特開２０１０−７５４８４号公報
【発明の概要】
【発明が解決しようとする課題】
【０００７】
本発明は、乾燥剤に吸着させた水分の放出を抑制できる加熱機器を提供することを課題とする。
【課題を解決するための手段】
【０００８】
前記課題を解決する本発明の加熱機器は、発熱部品を配設した外装体と、前記外装体に、前記発熱部品より上方に形成され、内部に電子部品が収容されるとともに、密閉または実質的に密閉された電子部品収容部と、前記電子部品収容部に形成された乾燥剤配置部と、前記乾燥剤配置部に配置され、前記電子部品収容部内の水分を吸着する乾燥剤と、前記乾燥剤配置部の底と前記乾燥剤との間に形成された断熱部とを備える。発熱部品とは、ヒータは勿論、駆動部材であるソレノイド等、通電により発熱する部品を意味する。電子部品収容部内の水分とは、空気中に浮遊する水分および吸着剤に接触する水の両方を含む。
【０００９】
この加熱機器は、製造時に入った空気に含まれる水分や、電子部品を実装する基板に含まれていた水分が、乾燥剤配置部に配設した乾燥剤によって吸着される。そして、乾燥剤配置部の底と乾燥剤との間に断熱部が設けられているため、電子部品収容部の底が発熱部品によって昇温されても、乾燥剤が昇温することを抑制できる。よって、乾燥剤が昇温することにより吸着した水分が電子部品収容部内に放出されることを抑制できる。
【００１０】
前記乾燥剤配置部の底から所定間隔をあけて前記乾燥剤を配置する保持部を設け、前記断熱部として断熱空間を形成することが好ましい。このようにすれば、製造コストまたは製品コストの増大を最小限に抑えつつ、乾燥剤から水分が放出されることを抑制できる。
【００１１】
具体的には、前記保持部は、前記乾燥剤配置部の壁から突出する突部である。または、前記保持部は、前記乾燥剤から突出する突部である。または、前記保持部は、前記乾燥剤を配置する枠部と、枠部から突出する脚部とを備える別部品である。これらのようにすれば、乾燥剤配置部の底と乾燥剤との間に確実に断熱空間を形成できる。
【００１２】
または、前記断熱部として断熱部材を配設してもよい。このようにすれば、希望の断熱性能を得ることができるため、乾燥剤から水分が放出されることを抑制できる。
【００１３】
なお、加熱機器は、内鍋と、前記内鍋を加熱する前記発熱部品である加熱手段とを有する機器本体と、前記機器本体に開閉可能に配設された蓋体とを備え、前記外装体である前記蓋体に前記電子部品収容部を形成している。
【発明の効果】
【００１４】
本発明の加熱機器では、製造時に入った空気に含まれる水分や、電子部品を実装する基板に含まれていた水分が、乾燥剤によって吸着される。そして、乾燥剤と乾燥剤配置部の底との間には断熱部が設けられているため、乾燥剤が昇温することを抑制でき、乾燥剤が吸着した水分が昇温により放出されることを抑制できる。よって、電子部品収容部内の液晶パネルを曇らせたり、表示基板に実装した電子部品に影響が及ぶことを抑制できる。
【図面の簡単な説明】
【００１５】
【図１】本発明の加熱機器である炊飯器を示す部分断面図。
【図２】蓋体を開いた状態を示す斜視図。
【図３】蓋体の分解斜視図。
【図４】蓋体の外側部材の分解斜視図。
【図５】電子部品収容部の拡大断面図。
【図６】第２実施形態の電子部品収容部の拡大断面図。
【図７】第３実施形態の電子部品収容部の拡大断面図。
【図８】第４実施形態の電子部品収容部の拡大断面図。
【図９】第４実施形態の乾燥剤および保持部材を示す分解斜視図。
【図１０】第５実施形態の電子部品収容部の拡大断面図。
【発明を実施するための形態】
【００１６】
以下、本発明の実施の形態を図面を参照して説明する。
【００１７】
（第１実施形態）
図１および図２は、本発明の実施形態の加熱機器である炊飯器１０を示す。図２に示すように、炊飯器１０は、炊飯する飯米および炊飯した米飯を収容する内鍋１１と、内鍋１１を着脱可能に収容する炊飯器本体（機器本体）１２と、炊飯器本体１２に開閉可能に配設した蓋体１７とを備える。また、炊飯器１０には、液晶パネル３９を配設するパネル収容部（電子部品収容部）４２が蓋体１７に形成されている。本発明は、製造時に侵入している水分（以下「既存水分」という。）を吸着していた乾燥剤５９から再び水分が放出されることによって、液晶パネル３９や窓部４８が曇ることや、電子部品に不都合が生じることを抑制する。
【００１８】
炊飯器１０は、炊飯器本体１２内および蓋体１７内に配設した加熱手段によって内鍋１１を加熱して、予熱、昇温、沸騰維持、むらし等の各工程を有する炊飯処理を実行し、内鍋１１にセットした飯米を炊飯して米飯を炊き上げる。また、所定温度に維持するように加熱手段を制御する保温処理を実行し、炊き上げた米飯を保温する。
【００１９】
炊飯器本体１２は、有底筒状の胴体１３と、胴体１３の上端開口を覆う肩体１４とを有する本体外装体を備える。肩体１４の背面側には、蓋体１７を回動可能に装着するためのヒンジ接続部１５が設けられている。肩体１４の正面側には、蓋体１７を閉塞状態に維持するための係止孔１６が設けられている。肩体１４の中央には開口部が設けられ、この開口部の下側に内鍋１１を着脱可能に収容する収容部（図示せず）が形成されている。胴体１３の内部である収容部の外側に、内鍋１１を加熱する第１加熱手段である誘導加熱コイル７０が配設されている。
【００２０】
蓋体１７は、炊飯器本体１２のヒンジ接続部１５に回動可能に取り付けられ、内鍋１１の上端開口を含む炊飯器本体１２の上部全体を開放可能に閉塞する。図２および図３に示すように、蓋体１７は、閉塞状態で内鍋１１の側に位置する内側部材１８と、内側部材１８の上部外側を覆う外側部材１９とを有する蓋外装体を備える。内側部材１８には金属製の補強部材２０が配設され、この補強部材２０の背面側に炊飯器本体１２のヒンジ接続部１５に接続するためのヒンジ軸２１が配設されている。
【００２１】
図２および図３に示すように、内側部材１８の補強部材２０の正面側にはロック部材２２が回動可能に配設されている。このロック部材２２には、内側部材１８を貫通して炊飯器本体１２側に突出し、係止孔１６に係脱可能に係止する係止爪部２３が形成されている。また、図１および図４に示すように、外側部材１９には、ロック部材２２を回動操作するための操作部材２４が配設されている。
【００２２】
図１および図２に示すように、内側部材１８の下側には、内鍋１１の上端開口を密閉する内蓋２５が着脱可能に取り付けられている。また、内側部材１８には、内蓋２５の上部に位置するようにヒータカバー７１が配設され、その上面に第２加熱手段である蓋ヒータ７２が配設されている。また、図１および図４に示すように、外側部材１９の背面側には蒸気口ユニット２６が着脱可能に取り付けられる。
【００２３】
蓋体１７には、内鍋１１内の蒸気を外部に排出するための排気通路が、内蓋２５から蒸気口ユニット２６にかけて連通するように設けられている。排気通路の入口は、内蓋２５に設けたボール弁（図示せず）である。排気通路の出口は、蒸気口ユニット２６に形成した排気口２７である。また、内蓋２５とヒータカバー７１との間には空隙が設けられ、この空隙が排気通路の一部を構成する。なお、図３中符号２８は、内蓋２５とヒータカバー７１との間の空隙と蒸気口ユニット２６とを連通させるための連通口である。
【００２４】
図３に示すように、内側部材１８の上側中央には、内蓋２５に配設した開閉弁であるボール弁および調圧弁を収容する弁収容部２９Ａ，２９Ｂが設けられている。また、弁収容部２９Ａ，２９Ｂの正面側には、ボール弁および調圧弁の駆動部材であるソレノイド３０Ａ，３０Ｂが配設されている。ソレノイド３０Ａ，３０Ｂの駆動によりボール弁および調圧弁を閉弁し、排気通路の入口を開放可能に閉塞することにより、内鍋１１内を大気圧より高い圧力に昇圧可能とする。
【００２５】
図３および図４に示すように、外側部材１９は、内側部材１８の上部全体を覆うカバー本体３１と、カバー本体３１の上面に固定される装飾パネル３２を備える。カバー本体３１には、内側部材１８をネジ止めして固定するための第１ネジ止め部３３と、装飾パネル３２をネジ止めして固定するための第２ネジ止め部３４とが設けられている。また、操作部材２４を配設するために、カバー本体３１には操作部材配設部３５が設けられ、装飾パネル３２には露出孔３６が設けられている。また、蒸気口ユニット２６を着脱可能に配設するために、カバー本体３１には配設凹部３７が設けられ、装飾パネル３２には露出用の切欠部３８が設けられている。
【００２６】
カバー本体３１には、操作部材２４と蒸気口ユニット２６の間に、液晶パネル３９、スイッチ４０および制御用の電子部品（素子）を実装した操作基板４１を配設するパネル収容部４２が形成されている。また、装飾パネル３２には、パネル収容部４２の上端開口を密閉する操作パネル部４７が設けられている。
【００２７】
パネル収容部４２は、平面視矩形状をなすように下向きに窪む凹部からなる。このパネル収容部４２は、発熱部品である蓋ヒータ７２およびソレノイド３０Ａ，３０Ｂよりも上方に位置し、これらの発熱部品によって発生した熱がパネル収容部４２の内部に伝わる。パネル収容部４２の底４２ａには、所定間隔をあけて操作基板４１を配置するための配設リブ４３が設けられている。また、操作基板４１の上面に係止して固定するためのフック状の固定部４４が設けられている。そして、パネル収容部４２の上端開口の外周部には、シール部材４５を配設するシール部材配設溝４６が設けられている。
【００２８】
操作パネル部４７には、液晶パネル３９の表示部に対応する開口部が設けられ、この開口部が透明樹脂板からなる窓部４８が設けられている。また、窓部４８の外周部には、操作基板４１の各スイッチ４０に対応する操作部４９が設けられている。操作パネル部４７の内面側外周部には、シール部材配設溝４６内に配置される凸部５０が設けられている。装飾パネル３２をカバー本体３１に組み付けることにより、凸部５０がシール部材配設部内のシール部材４５に圧接され、パネル収容部４２内が密閉される。
【００２９】
パネル収容部４２には、背面側の一方隅部に配線口５１が設けられている。この配線口５１の周囲には、係止部５２とネジ止め部５３とが設けられている。配設口には、操作基板４１を電気的に接続するためのフラットケーブル５４が挿通され、遮蔽部材５５によって気密に閉塞される。この遮蔽部材５５は、係止部５２に係止される係止段部５６と、ネジ止め部５３に対応するネジ挿通部５７とを備える。遮蔽部材５５を配置してネジ止めすることにより、フラットケーブル５４を圧接し、パネル収容部４２内への気体の流通を阻止している。なお、配線口５１、フラットケーブル５４および遮蔽部材５５の間の隙間が大きく気体が流通可能な場合には、シール部材を配設することにより密閉される。
【００３０】
パネル収容部４２内には、フラットケーブル５４と一緒に圧抜きチューブ５８が配線口５１から導入されている。この圧抜きチューブ５８は、密閉したパネル収容部４２が昇温し、パネル収容部４２内の空気が熱膨張した際の圧（空気）を外部へ逃がす。圧抜きチューブ５８は、パネル収容部４２内と外部との気体の対流が生じない内径に設定される。また、熱膨張によりパネル収容部４２内の気体（以下「既存気体」という。）を外部へ逃がす際に、圧抜きチューブ５８の先端からは既存気体が流出しない全長に設定される。よって、本実施形態のパネル収容部４２は、外部から流体が侵入しない、実質的な密閉状態に閉塞される。
【００３１】
このように密閉されたパネル収容部４２の内部には、組立時に水分（湿気）を含む工場内の空気が入り込んでいる。また、パネル収容部４２の内部では、スイッチ４０および素子を実装した操作基板４１からも若干の水分が滲出することがある。これらの既存水分を吸着するために、パネル収容部４２には、図４および図５に示すように、配線口５１と反対側の側部に、乾燥剤５９を配置する乾燥剤配置部６０が設けられている。
【００３２】
乾燥剤５９は、乾燥剤配置部６０内に配置され、パネル収容部４２内の空気中に浮遊する水分および凝結した水を吸着する。乾燥剤５９は、多孔質で非晶質の物質を成形した錠剤型乾燥剤（例えばシブレット）であり、所定厚さの円板状に形成されている。この乾燥剤５９は、水分を物理的に吸着することが可能であり、昇温により吸着した水分を放出する特性を有する。なお、円板状に成形した乾燥剤５９に限らず、袋に詰め込んだ散薬（粒）状乾燥剤および液状乾燥剤を用いてもよい。要するに、製造時に混入する空気中の水分量、および、操作基板４１から滲出する水分量を想定し、吸着可能な容量の乾燥剤５９であればよい。
【００３３】
乾燥剤配置部６０は、パネル収容部４２の底４２ａから平面視円形状をなすように下向きに窪む一対の凹部からなる。この乾燥剤配置部６０の底壁６１と乾燥剤５９との間には、断熱空間（断熱部）６４が設けられている。具体的には、乾燥剤配置部６０には、底壁６１から側壁６２にかけてパネル収容部４２側に突出し、乾燥剤５９を底壁６１から所定間隔をあけて配置する階段状の保持部６３が設けられている。この保持部６３上に乾燥剤５９を配置することにより、乾燥剤配置部６０の底壁６１と乾燥剤５９との間に、所定間隔の隙間からなる断熱空間６４が形成される。
【００３４】
本実施形態のパネル収容部４２の底４２ａは、背面側から正面側に向けて下向きに傾斜している。また、乾燥剤配置部６０の底壁６１は、蓋体１７を閉塞した状態で水平に延びるように形成されている。また、パネル収容部４２は、弁収容部２９Ａ，２９Ｂが位置する背面側が、高温蒸気の流動により昇温し易く、正面側が昇温し難い。そのため、保持部６３は、形成される断熱空間６４の間隔が、背面側が広く正面側が狭くなるように、背面側から正面側に向けて傾斜して設けられている。
【００３５】
このようにした炊飯器１０では、製造時にパネル収容部４２内に侵入した既存水分は、乾燥剤配置部６０に配設した乾燥剤５９によって吸着できる。また、内外への気体の対流が生じないようにパネル収容部４２を密閉して形成しているため、外部から水分を含む空気が侵入することを防止できる。そのため、乾燥剤５９が飽和状態になり、水分を吸着できない状態になることを抑制できる。また、乾燥剤配置部６０の底壁６１と乾燥剤５９との間に断熱空間６４を設けているため、動作時に発熱部品の熱が乾燥剤配置部６０の底壁６１に伝わっても、乾燥剤５９が昇温されることを抑制できる。よって、乾燥剤５９が吸着していた水分が再びパネル収容部４２内に放出されることを抑制できる。
【００３６】
その結果、窓部４８やパネル収容部４２内に配設した液晶パネル３９を曇らせたり、表示基板に実装した全ての電子部品（素子）に悪影響が及ぶことを抑制できる。また、乾燥剤配置部６０の壁６１，６２から突出する保持部６３を設けることにより、乾燥剤配置部６０の底壁６１と乾燥剤５９との間に断熱空間６４を形成しているため、製造コストまたは製品コストの増大を最小限に抑えつつ、乾燥剤５９から水分が放出されることを抑制できる。
【００３７】
（第２実施形態）
図６は第２実施形態の炊飯器１０のパネル収容部４２を示す。この第２実施形態では、一対の乾燥剤５９，５９を配置する乾燥剤配置部６０を８字形状をなす１個の空間で形成するとともに、断熱空間６４を形成するための保持部６３を側壁６２から中心に向けて放射状に突出する複数の突片により構成した点で、第１実施形態と相違する。このように、断熱空間６４を形成するための保持部６３の形態は希望に応じて変更が可能である。そして、この第２実施形態では、第１実施形態と同様の作用および効果を得ることができる。
【００３８】
（第３実施形態）
図７は第３実施形態の炊飯器１０のパネル収容部４２を示す。この第３実施形態では、断熱空間６４を形成するための保持部６３を乾燥剤５９に一体的に設けた点で、第１実施形態と相違する。第３実施形態の乾燥剤５９は、平面視円形状をなし、その一面から円錐状をなすように突出する保持部６３が設けられている。保持部６３が乾燥剤配置部６０の底壁６１側に位置するように配置することで、底壁６１と乾燥剤５９との間に所定間隔の断熱空間６４を形成することができる。そして、このように構成した第３実施形態では、第１実施形態と同様の作用および効果を得ることができる。
【００３９】
（第４実施形態）
図８は第４実施形態の炊飯器１０のパネル収容部４２を示す。この第４実施形態では、断熱空間６４を形成するための保持部を乾燥剤５９および乾燥剤配置部６０とは別体の保持部材６５とした点で、第１実施形態と相違する。図９に示すように、保持部材６５は、乾燥剤５９を配置する有底筒状の枠部６６を備える。枠部６６は平面視円形状をなし、その底には周方向に所定間隔（９０度）をあけて脚部６７が突設されている。例えば、枠部６６内に円板状の乾燥剤５９を配置し、保持部材６５を乾燥剤配置部６０に配置することで、パネル収容部４２の底壁６１と乾燥剤５９との間に所定間隔の断熱空間６４を形成することができる。そして、このように構成した第４実施形態では、第１実施形態と同様の作用および効果を得ることができる。
【００４０】
（第５実施形態）
図１０は第５実施形態の炊飯器１０のパネル収容部４２を示す。この第４実施形態では、断熱空間６４の代わりに断熱部材６８を乾燥剤配置部６０の底壁６１に敷設した点で、第１実施形態と相違する。断熱部材６８は、例えば乾燥剤５９と同様の円板状に形成した発泡ウレタンからなる。なお、発泡ウレタンの代わりにグラスウールや真空断熱パネルを用いてもよく、希望の断熱性能が得られる断熱部材６８であれば適用可能である。このようにした第５実施形態では、第１実施形態と同様の作用および効果を得ることができる。しかも、希望の断熱性能を得ることができるため、乾燥剤５９に吸着していた水分が再び放出されることを抑制できる。
【００４１】
なお、本発明の加熱機器は、前記実施形態の構成に限定されず、種々の変更が可能である。
【００４２】
例えば、乾燥剤配置部６０の底壁６１と乾燥剤５９との間に形成する断熱部として、第１から第４実施形態では断熱空間６４を形成し、第５実施形態では断熱部材６８を配設したが、断熱空間６４および断熱部材６８の両方を組み合わせて構成してもよい。また、蓋体１７内において発熱部品の熱の影響が無い常温領域まで乾燥剤配置部６０を延設し、熱交換作用により乾燥剤配置部６０を冷却できるようにしてもよい。また、保持部６３，６５は、第１から第４実施形態のように乾燥剤５９を載置する構成に限らず、外側部材１９の側から吊り下げるように保持する構成としてもよい。
【００４３】
また、前記実施形態では、電子部品収容部であるパネル収容部４２を、内外への気体の対流が生じない密閉状態に形成したが、多少の気体の対流が可能な実質的密閉状態に形成してもよい。また、前記実施形態では、電子部品収容部であるパネル収容部４２を蓋体１７に形成したが、炊飯器本体１２に形成してもよい。炊飯器本体１２に形成する場合でも、乾燥剤配置部６０の底と乾燥剤５９との間に断熱部を形成することにより、同様の作用および効果を得ることができる。
【００４４】
また、前記実施形態では、操作パネル部４７のパネル収容部４２を例に挙げて説明したが、本体１２または蓋体１７の外装体内において、水分を嫌う電子部品を収容する電子部品収容部であれば適用可能であり、同様の作用および効果を得ることができる。また、前記実施形態では、本発明の加熱機器として炊飯器１０を例に挙げて説明したが、電磁調理器、電気ポットおよび加湿器などの加熱機器であればいずれでも適用可能であり、同様の作用および効果を得ることができる。
【符号の説明】
【００４５】
１０…炊飯器（加熱機器）
１１…内鍋
１２…炊飯器本体（機器本体）
１３…胴体（本体外装体）
１４…肩体（本体外装体）
１７…蓋体
１８…内側部材（蓋外装体）
１９…外側部材（蓋外装体）
３０Ａ，３０Ｂ…ソレノイド（発熱部品）
３１…カバー本体
３２…装飾パネル
３９…液晶パネル（電子部品）
４０…スイッチ（電子部品）
４１…操作基板
４２…パネル収容部（電子部品収容部）
４２ａ…底
４５…シール部材
４７…操作パネル部
５９…乾燥剤
６０…乾燥剤配置部
６１…底壁（壁）
６２…側壁（壁）
６３…保持部
６４…断熱空間（断熱部）
６５…保持部材（保持部）
６６…枠部
６７…脚部
６８…断熱部材（断熱部）
７０…誘導加熱コイル（発熱部品）
７２…蓋ヒータ（発熱部品）
【図１】
2015213655.tif 000003
【図２】
2015213655.tif 000004
【図３】
2015213655.tif 000005
【図４】
2015213655.tif 000006
【図５】
2015213655.tif 000007
【図６】
2015213655.tif 000008
【図７】
2015213655.tif 000009
【図８】
2015213655.tif 000010
【図９】
2015213655.tif 000011
【図１０】
2015213655.tif 000012